(57)【要約】【課題】  数値の入力ミスや読取りミスの発生を回避し、取引等における重大な損失を防止する。容易かつ低コストの実施を可能にするとともに、認識しやすさを高めて利便性向上を図る。【解決手段】  少なくとも小数点以下の小数Ｎｄを含む数値Ｐを表示する数値の表示方法であって、予め、小数点に使用するピリオドＳｐ及び１以上の自然数の桁区切りに使用するコンマＳｋ以外の所定の記号を、１未満の小数Ｎｄ…に対する桁区切りに使用する特定記号Ｓｄとして設定するとともに、１未満の小数Ｎｄ…に対する桁区切りの位を設定し、数値Ｐを表示する際に、１未満の小数Ｎｄ…を表示し、かつ設定した桁区切りの位が生じたときに、特定記号Ｓｄを、小数Ｎｄ…の対応する位の位置に桁区切りとして表示するようにした。【選択図】  図１
2019191729.tif 000002
【特許請求の範囲】
【請求項１】
少なくとも小数点以下の小数を含む数値の表示方法であって、予め、小数点に使用するピリオド及び１以上の自然数の桁区切りに使用するコンマ以外の所定の記号を、１未満の小数に対する桁区切りに使用する特定記号として設定するとともに、１未満の小数に対する桁区切りの位を設定し、数値を表示する際に、１未満の小数を表示し、かつ設定した桁区切りの位が生じたときに、前記特定記号を、小数の対応する位の位置に桁区切りとして表示することを特徴とする数値の表示方法。
【請求項２】
前記特定記号は、小数点以下の小数に対して３桁単位で仕切って表示することを特徴とする請求項１記載の数値の表示方法。
【請求項３】
前記特定記号は、配列した小数と小数の間であって、小数の上側の位置又は下側の位置に表示することを特徴とする請求項１又は２記載の数値の表示方法。
【請求項４】
前記小数を含む数値は、仮想通貨に係わる数値であることを特徴とする請求項１記載の数値の表示方法。
【請求項５】
少なくとも小数点以下の小数を含む数値を所定の表示部に表示する数値表示装置であって、小数点に使用するピリオド及び１以上の自然数の桁区切りに使用するコンマ以外の所定の記号を、１未満の小数に対する桁区切りに使用する予め設定した特定記号に係わる記号データと、１未満の小数に対する予め設定した桁区切りの位を有する１未満の小数を含む数値を表示する際に、前記特定記号を、小数の対応する位の位置に桁区切りとして表示するデータ処理を行い、かつ前記表示部に表示処理する表示処理部とを備えることを特徴とする数値表示装置。
【請求項６】
前記表示部は、少なくとも１３桁以上を表示可能に構成することを特徴とする請求項５記載の数値表示装置。
【発明の詳細な説明】
【技術分野】
【０００１】
本発明は、小数点以下の小数を含む数値を表示する際に用いて好適な数値の表示方法及び数値表示装置に関する。
【背景技術】
【０００２】
一般に、コンピュータディスプレイやいわゆる電卓等の各種電子機器に付属する表示部に数値を表示する場合であって、特に、数値の桁数が多くなった場合、数値全体の大きさを把握しやすくするため、数値の最下位における桁（一の位）から３桁毎の数字間にコンマを表示する表示方式を採用する場合も多い。
【０００３】
従来、このような表示方式を採用する数値表示装置としては、特許文献１で開示される区切り表示制御方式，特許文献２で開示される桁区切り装置及び特許文献３で開示される電子卓上計算機等が知られている。特許文献１の区切り表示制御方式は、表示すべき文字又は数字を示すコードをチェックし、その結果、当該文字又は数字データは区切り記号を示すことが分かったとき、その前のデータが数値なら前後の桁の表示要素間に該区切り記号を表示し、その前のデータが文字なら１桁分とって該桁に該区切り記号を表示するようにしたものである。また、特許文献２の桁区切り装置は、数字、記号等のデータ列を入力する入力手段と、この入力手段から入力したデータ列の桁区切りを指示する指示手段と、この指示手段の指示操作に応じて所定桁毎に桁区切りするデシマルタブ処理手段と、このデシマルタブ処理手段により桁区切りされたデータ列を表示する表示手段とを備えて構成したものである。さらに、特許文献３の電子卓上計算機は、複数の数字表示用の各セグメントの間に、分数区切り記号表示用のセグメントを設けたものである。
【先行技術文献】
【特許文献】
【０００４】
【特許文献１】特開昭６１−１９４５２７号公報
【特許文献２】特開昭６３−１６３６２９号公報
【特許文献３】特開平０６−１８７２９１号公報
【発明の概要】
【発明が解決しようとする課題】
【０００５】
しかし、上述した従来における数値表示装置（数値の表示方法）は、次のような問題点があった。
【０００６】
第一に、基本的に、表示する数値としては、数量や金額などの自然数を表示することが多いとともに、表示する数値の桁数が必要数よりも無用に増えた場合には、表示部全体のサイズアップを招いたり、表示部に表示する数字の大きさが制限される弊害を生じるため、例えば、電卓などの表示桁数は、８〜１２桁が一般的である。ところで、近時、ビットコイン等の仮想通貨が普及し、仮想通貨を用いた様々な取引きも広く行われるに至っている。この場合、仮想通貨は、いわば実体がなく、仮想上の通貨となるため、１以上の自然数のみならず、現在、小数点以下８桁程度まで使用される場合も少なくない。この結果、自然数を含む全体の表示桁数はかなり多くなり、従来の数値表示装置では対応できない。
【０００７】
第二に、仮想通貨の場合、小数点以下の桁数は、今後、更に増加することが想定されるが、従来における数値の表示方法では、小数点以下の小数については、単に数字を羅列する表示方式に留まることから、正確な数値を把握しにくく、見間違うリスクも高くなる。特に、通貨取引等においては、数字の入力ミスや読取りミスは重大な損失に繋がる虞れがあるため、全体の数値に対する確認しやすさは重要な要素となるが、従来の表示方式では、数値に対する確認しやすさを確保する観点からは必ずしも十分とはいえず、更なる改善の余地があった。
【０００８】
本発明は、このような背景技術に存在する課題を解決した数値の表示方法及び数値表示装置の提供を目的とするものである。
【課題を解決するための手段】
【０００９】
本発明に係る数値の表示方法は、上述した課題を解決するため、少なくとも小数点以下の小数Ｎｄ…を含む数値Ｐを表示するに際し、予め、小数点に使用するピリオドＳｐ及び１以上の自然数の桁区切りに使用するコンマＳｋ以外の所定の記号を、１未満の小数Ｎｄ…に対する桁区切りに使用する特定記号Ｓｄとして設定するとともに、１未満の小数Ｎｄ…に対する桁区切りの位を設定し、数値Ｐを表示する際に、１未満の小数Ｎｄ…を表示し、かつ設定した桁区切りの位が生じたときに、特定記号Ｓｄを、小数Ｎｄ…の対応する位の位置に桁区切りとして表示するようにしたことを特徴とする。
【００１０】
また、本発明に係る数値表示装置１は、上述した課題を解決するため、少なくとも小数点以下の小数Ｎｄを含む数値Ｐを所定の表示部２に表示する数値表示装置であって、小数点に使用するピリオドＳｐ及び１以上の自然数の桁区切りに使用するコンマＳｋ以外の所定の記号を、１未満の小数Ｎｄ…に対する桁区切りに使用する予め設定した特定記号Ｓｄに係わる記号データと、１未満の小数Ｎｄ…に対する予め設定した桁区切りの位を有する１未満の小数Ｎｄ…を含む数値Ｐを表示する際に、特定記号Ｓｄを、小数Ｎｄ…の対応する位の位置に桁区切りとして表示するデータ処理を行い、かつ表示部２に表示処理する表示処理部３とを備えることを特徴とする。
【００１１】
一方、本発明は、好適な態様により、表示部２は、少なくとも１３桁以上を表示可能に構成できる。他方、特定記号Ｓｄは、小数点以下の小数Ｎｄ…に対して３桁単位で仕切って表示できる。さらに、特定記号Ｓｄは、配列した小数Ｎｄと小数Ｎｄの間であって、小数Ｎｄの上側の位置Ｈｕ又は下側の位置Ｈｄに表示できる。したがって、小数Ｎｄを含む数値Ｐには、仮想通貨に係わる数値Ｐを適用することができる。
【発明の効果】
【００１２】
このような本発明に係る数値Ｐの表示方法及び数値表示装置１によれば、次のような顕著な効果を奏する。
【００１３】
（１）  予め、小数点に使用するピリオドＳｐ及び１以上の自然数の桁区切りに使用するコンマＳｋ以外の所定の記号を、１未満の小数Ｎｄに対する桁区切りに使用する特定記号Ｓｄとして設定するとともに、１未満の小数Ｎｄ…に対する桁区切りの位を設定し、数値Ｐを表示する際に、１未満の小数Ｎｄ…を表示し、かつ設定した桁区切りの位が生じたときに、特定記号Ｓｄを、小数Ｎｄ…の対応する位の位置に桁区切りとして表示するようにしたため、小数点以下の桁数が多くなる用途であっても、全体の数値Ｐに対する確認しやすさ（認識しやすさ）をより高めることができる。この結果、数値Ｐの入力ミスや読取りミスを回避し、このような用途における取引等で生じる虞れのある重大な損失を防止できる。しかも、容易かつ低コストに実施できるとともに、認識しやすさの観点からの利便性向上にも寄与できる。
【００１４】
（２）  好適な態様により、表示部２を構成するに際し、少なくとも１３桁以上を表示可能に構成すれば、仮想通貨の金額処理などのように、小数点以下８桁以上が使用されるような用途においても、１以上の自然数の表示と併せて十分な表示を行うことができる。したがって、特に、仮想通貨の金額表示等を含む各種分野における数値表示に十分に対応することができる。
【００１５】
（３）  好適な態様により、特定記号Ｓｄを表示するに際し、小数点以下の小数Ｎｄ…に対して３桁単位で仕切って表示すれば、１以上の自然数の表示において従来より用いられているコンマＭｋと同水準での表示を行うことができるため、小数Ｎｄ…を含む数値Ｐに対する認識を容易かつ確実に行うことができる。
【００１６】
（４）  好適な態様により、特定記号Ｓｄを表示するに際し、配列した小数Ｎｄと小数Ｎｄの間であって、小数Ｎｄの上側の位置Ｈｕ又は下側の位置Ｈｄに表示すれば、様々な表示形態を選択できるため、使い勝手及びデザインを含めて高い設計自由度を確保できるとともに、数値Ｐの表示に係わる発展性及び商品性の向上に寄与できる。
【００１７】
（５）  好適な態様により、小数Ｎｄを含む数値Ｐに、仮想通貨に係わる数値Ｐを適用すれば、特に、用途として利用価値の高い仮想通貨に係わる金額表示が可能になるため、数値Ｐの入力ミスや読取りミスを回避し、通貨取引等で生じる虞れのある重大な損失を防止できるなど、最適な用途として利用できる。
【図面の簡単な説明】
【００１８】
【図１】本発明の好適実施形態に係る数値表示装置に用いる数字のセグメントの一例を示す表示部の構成図、
【図２】同数値表示装置を備える一例として示す電卓のブロック構成図、
【図３】同数値表示装置を備える一例として示す電卓の外観構成図、
【図４】同数値表示装置に備える特定記号を示すパターン構成図、
【図５】同数値表示装置に備える変更例に係る特定記号のパターン構成図、
【図６】本発明の好適実施形態に係る数値の表示方法を順を追って説明するフローチャート、
【図７】同表示方法によって表示される小数を含む数値の表示図、
【図８】同表示方法によって表示される小数を含まない数値の表示図、
【発明を実施するための形態】
【００１９】
次に、本発明に係る好適実施形態を挙げ、図面に基づき詳細に説明する。
【００２０】
まず、本実施形態に係る表示装置１の構成について、電卓１０を一例として、図１〜図５を参照して具体的に説明する。
【００２１】
図３は、同表示装置１を備える電卓１０の外観構成を示す。例示の電卓１０は、パネル部１１の下半部１１ｄに、キーボード部１２を配する。このキーボード部１２は一般的なキーボードとして構成可能であり、十個の数字キーＫｎ…を備えるとともに、小数点を示すピリオドキーＫｐ、計算キーＫａ，Ｋｂ，Ｋｃ，Ｋｄ、クリアキーやメモリキーを含む各種機能キーＫｘ…が含まれる。また、パネル部１１の上半部１１ｕであって、上段には、太陽光発電を行うソーラーパネル１３を配するとともに、下段、即ち、ソーラーパネル１３とキーボード部１２間には、表示部（ディスプレイ）２を配する。表示部２は、表示装置１の要部の一部を構成するものであり、例示は、液晶表示パネルである。
【００２２】
図１に、抽出拡大した表示部２を示す。前述したように、従来の技術に係る電卓の表示部の場合、８〜１２桁表示が一般的である。しかし、本実施形態で用いる表示部２は、１５桁まで表示できるようにした。仮想通貨の金額処理では、１以上の自然数の表示に加え、小数点以下８桁程度まで使用される場合も少なくないため、表示部２を構成するに際しては、少なくとも１３桁以上を表示可能に構成することが望ましい。このように、少なくとも１３桁以上を表示可能に構成すれば、仮想通貨の金額処理などのように、小数点以下８桁以上が使用されるような用途においても、１以上の自然数の表示と併せて十分な表示を行うことができる。したがって、特に、仮想通貨の金額表示等を含む各種分野における数値表示に十分に対応することができる。
【００２３】
また、各数字Ｎは、図１に一部を抽出拡大図として示すように、選択表示可能な７つのセグメントｓｍ…の組合わせにより構成する。そして、数字Ｎと相隣る数字Ｎの間には、区切記号部ＳＸを表示する。一例として示す区切記号部ＳＸは、数字Ｎの下側の位置Ｈｄに配し、上部ｘｕ，中部ｘｍ，下部ｘｄの三つのセグメントにより構成した。この場合、中部ｘｍは、円形のピリオドＳｐとして表示する。下部ｘｄは、下端が尖形となる略二等辺三角形状に形成し、中部ｘｍと組合わさることによりコンマＳｋを表示する。上部ｘｕは、中部ｘｍと組合わさることにより特定記号Ｓｄとして表示する。例示の特定記号Ｓｄは、コンマＳｋに対して上下の形状が線対称となるように形成した。
【００２４】
図４（ａ）〜（ｃ）に、異なる使用時に対応した区切記号部ＳＸの表示態様を抽出拡大図により示す。この場合、図４（ａ）は、コンマＳｋとして表示する場合であり、中部ｘｍと下部ｘｄを表示状態にする。図４（ｂ）は、ピリオドＳｐとして表示する場合であり、中部ｘｍのみを表示状態にする。図４（ｃ）は、特定記号Ｓｄとして表示する場合であり、中部ｘｍと上部ｘｕを表示状態にする。このように、特に、特定記号Ｓｄについては、小数点に使用するピリオドＳｐ及び１以上の数字Ｎの桁区切りに使用するコンマＳｋ以外の所定の記号、即ち、ピリオドＳｐ及びコンマＳｋに対して、形状，大きさ，位置等を異ならせた記号とする。これにより、後述するように、１未満の小数Ｎｄ…に対する桁区切りとして使用することができる。
【００２５】
なお、図１（図４）に示す区切記号部ＳＸは、一例として示したものであり、このような区切記号部ＳＸは、各種形態により実施可能である。図５（ａ）〜（ｃ）は、区切記号部ＳＸの変更例を示す。図５（ａ）は、特定記号Ｓｄを数字Ｎの上側の位置Ｈｕに配するとともに、特定記号ＳｄとコンマＳｋの形状を図１に対してやや異ならせた例を示す。この場合、特定記号Ｓｄは、全体を単一形状に形成し、コンマＳｋは、ピリオドＳｐと組合わせて表示する。図５（ｂ）は、特定記号ＳｄとコンマＳｋの双方を数字Ｎの上側の位置Ｈｕに配するとともに、特定記号ＳｄとコンマＳｋの相互の全体形状をやや異ならせた例を示す。加えて、特定記号Ｓｄ，コンマＳｋ及びピリオドＳｐは、いずれも、数字Ｎに対して上方又は下方へ突出させたものである。これにより、小数Ｎｄ…を含む数字Ｎ…に対して、より容易に見分けることができる。なお、特定記号ＳｄとコンマＳｋの表示方法は、図１（図４）の場合と同じである。図５（ｃ）は、特定記号ＳｄとコンマＳｋ共に、単一形状に形成した例を示す。
【００２６】
このように、特定記号Ｓｄを含む区切記号部ＳＸの全体は、図１，図５（ａ）〜（ｃ）をはじめ、様々な形状，デザイン，形態，レイアウト等により実施することができる。特に、特定記号Ｓｄは、配列した数字Ｎと数字Ｎの間であって、数字Ｎの上側の位置Ｈｕ又は下側の位置Ｈｄに表示することができる。したがって、様々な表示方法を選択可能であり、使い勝手及びデザインを含めて高い設計自由度を確保でき、発展性及び商品性の向上に寄与できる。
【００２７】
一方、図２は、電卓１０の内部構成、即ち、電気処理系の構成をブロック系統により示す。電気処理系において、表示部（ディスプレイ）２，キーボード部１２及びソーラーパネル部１３は、前述した外観図に示したものと同一である。また、２０は、ＣＰＵ（処理部）２１及びメモリ（記憶部）２２を主要部に含むコンピューティング処理部であり各種データ処理を行うことができる。この場合、メモリ２２は、データを一時記憶又は格納するデータエリアと電卓として機能させる処理プログラム２２ｐを格納するプログラムエリアを少なくとも備えている。ＣＰＵ２１はメモリ２２と協働して各種演算及び制御を行う機能を備える。
【００２８】
そして、電卓１０において、特に、表示部２，コンピューティング処理部２０（ＣＰＵ２１，メモリ２２）は、本実施形態に係る表示装置１を構成する。したがって、表示部２は、前述したように、１５桁の数字Ｎ…を表示することができるとともに、少なくとも小数点以下の小数Ｎｄ…を含む数値Ｐを表示する機能を備えている。さらに、ＣＰＵ２１及びメモリ２２は、表示処理部３を構成し、メモリ２２には、電卓に必要となる各種データ類を登録するとともに、特に、本発明に従って上述した特定記号Ｓｄに係わる記号データを登録する。
【００２９】
また、表示処理部３は、予め設定した桁区切りの位を有する１未満の小数Ｎｄ…を表示する際に、上述した特定記号Ｓｄを、小数Ｎｄ…の対応する位の位置に桁区切りとして表示するデータ処理を行なうとともに、表示部２に対して表示する処理機能を備える。例示の場合、特定記号Ｓｄは、小数点以下の小数Ｎｄ…に対して３桁単位で仕切って表示する。したがって、桁区切りの位としては、３桁単位の位が設定される。
【００３０】
このように、特定記号Ｓｄを表示するに際し、小数点以下の小数Ｎｄ…に対して３桁単位で仕切って表示するようにすれば、１以上の自然数の表示において従来より用いられているコンマＭｋと同水準での表示を行うことができるため、小数Ｎｄ…を含む数値Ｐに対する認識を容易かつ確実に行う観点から最適な形態として実施できる。
【００３１】
次に、本実施形態に係る表示方法を含む上述した表示装置１の機能（動作）について、図７及び図８を参照しつつ図６に示すフローチャートに従って説明する。
【００３２】
なお、以下の説明は、本実施形態に係る数値Ｐの表示方法に限定したものであり、電卓１０に係わる機能は省略した。
【００３３】
まず、キーボード部１２から数字（数値Ｐ）をキー入力する場合を想定する（ステップＳ１）。この場合、オペレータにより任意の数字キーＫｎが押される（ステップＳ２）。このキー入力はＣＰＵ（処理部）２１に付与される。これにより、処理プログラム２２ｐに従って、ＣＰＵ２１は、既に小数点入力があったか否かを判断する（ステップＳ３）。この時点では、当該キー入力が最初の数字入力となるため、小数点入力はないと判断される。即ち、数字入力と判断される（ステップＳ４）。
【００３４】
この結果、表示部２には、最初の数字Ｎが表示される（ステップＳ５）。即ち、図７の例では、最初に“１”が表示され、図８の例では、最初に“７”が表示される。なお、図７は、小数点を含む数値Ｐを表示する例を示すとともに、図８は、小数点を含まない数値Ｐを表示する例を示す。また、数字Ｎ…（又は小数Ｎｄ…）の入力数がカウント処理され、入力数が「３」になったか否かを判断する（ステップＳ６，Ｓ７）。この時点では、最初の数字入力となるため、カウント数は「１」となる。これにより、一回目の入力処理が終了する。
【００３５】
次いで、二回目の数字入力があれば、上記同様の数字入力に係わる処理が実行される（ステップＳ１〜Ｓ７）。この結果、図７の例では、次の“５”が表示され、図８の例では、次の“１”が表示される。そして、数字のカウント数は「２」となる。
【００３６】
次いで、三回目の入力が行われ、この際、ピリオドキーＫｐが押された場合を想定する。この場合、数字入力ではなく、小数点入力と判断されるため、図７に示すように、ピリオドＮｐが表示される（ステップＳ８，Ｓ９）。
【００３７】
次いで、四回目の数字入力が行われれば、既に、小数点が入力された状態となるため、以降は、小数入力ルーチン、即ち、ステップＳ１０以降のルーチンが行われる。この場合には、図７の表示に従って、入力された数字Ｎは、小数Ｎｄとして表示部２に表示される（ステップＳ３，Ｓ１０）。この場合、図７に示すように、小数Ｎｄとして“４”が表示されるとともに、自然数となる数字Ｎ…に対するカウント数はリセットされる。また、小数Ｎｄの入力がカウントされ、カウント数が「３」になったか否かを判断する（ステップＳ１１，Ｓ１２）。この時点では、最初の小数Ｎｄ入力となるため、カウント数は「１」となる。これにより、一回目の小数Ｎｄの入力処理は終了する。
【００３８】
次いで、五回目の数字入力があれば、入力に係わる同様の処理が行われる（ステップＳ１〜Ｓ３，Ｓ１０〜Ｓ１２）。この結果、図７の例では、次の“７”が表示され、カウント数は「２」となる。これにより、二回目となる小数Ｎｄの入力処理は終了する。さらに、六回目の数字入力があれば、入力に係わる同様の処理が行われる（ステップＳ１〜Ｓ３，Ｓ１０〜Ｓ１２）。この結果、図７の例では、次の“２”が表示され、カウント数は「３」となる。カウント数が「３」になることにより、特定記号Ｓｄの表示処理に移行するとともに、この時点でカウント数は「０」にリセットされる（ステップＳ１３）。この場合、特定記号Ｓｄは、この時点で表示されることはなく、次の小数Ｎｄの入力があった時点で表示される。これにより、三回目となる小数Ｎｄの入力処理は終了する。
【００３９】
次いで、七回目の数字入力があれば、入力に係わる同様の処理が行われる（ステップＳ１〜Ｓ３，Ｓ１０〜Ｓ１２）。これにより、図７の例では、次の“３”が表示される。また、この時点において、この“３”の前に、特定記号Ｓｄの表示処理に基づく特定記号Ｓｄの表示が行われる。なお、カウント数は「１」となる。
【００４０】
次いで、八回目、九回目…の数字入力があれば、順次、同様の小数入力に係わる処理が行われる（ステップＳ１〜Ｓ３，Ｓ１０〜Ｓ１２）。図７の例では、次の“３”，“１”が順次表示される。したがって、図７は、最終的に、数値Ｐとして、「１５．４７３ヽ３１」が表示された状態を示している。
【００４１】
他方、上述した三回目のキー入力（ステップＳ４）時に、ピリオドキーＫｐが押されることなく、次の数字入力があった場合を想定する。この場合には小数点入力と判断されないため、図８に示すように、“３”が表示される。また、カウント数は「３」となる。したがって、この時点で、コンマＳｋの表示処理に移行するとともに、カウント数は「０」にリセットされる（ステップＳ７，Ｓ１４）。この場合、コンマＳｋは、この時点で表示されることはなく、次の数字Ｎの入力があった時点で表示される。これにより、三回目となる数字Ｎの入力処理は終了する。
【００４２】
次いで、四回目の数字入力があれば、入力に係わる同様の処理が行われる（ステップＳ１〜Ｓ５）。これにより、図８の例では、次の“７”が表示されるとともに、この“７”から三桁目の数字“５”の前にコンマＳｋの表示が行われる。また、カウント数は「１」となる。この場合の表示は、従来からの公知の表示方法となり、一般的には、「三桁目×Ｄ（Ｄは１，２，３…）」の数字Ｎ…の前にそれぞれ表示される。図８は、以降、“１”，“８”，“０”を順次入力された場合を示している。したがって、図８は、最終的に、数値Ｐとして「７，１３７，１８０」が表示された状態を示している。そして、入力する目的の数値Ｐに係わる数字Ｎ…又は小数Ｎｄ…の全ての入力が終了すれば、一連の表示方法に係わるステップ処理が終了する（ステップＳ１）。
【００４３】
このように、本実施形態に係る数値Ｐの表示方法（数値表示装置１）は、基本的な手法（手段）として、予め、小数点に使用するピリオドＳｐ及び１以上の自然数の桁区切りに使用するコンマＳｋ以外の所定の記号を、１未満の小数Ｎｄ…に対する桁区切りに使用する特定記号Ｓｄとして設定するとともに、１未満の小数Ｎｄ…に対する桁区切りの位を設定し、数値Ｐを表示する際に、１未満の小数Ｎｄ…を表示し、かつ設定した桁区切りの位が生じたときに、特定記号Ｓｄを、小数Ｎｄ…の対応する位の位置に桁区切りとして表示するようにしたため、小数点以下の桁数が多くなる用途であっても、全体の数値Ｐに対する確認しやすさ（認識しやすさ）をより高めることができる。この結果、数値Ｐの入力ミスや読取りミスを回避し、このような用途における取引等で生じる虞れのある重大な損失を防止できる。しかも、容易かつ低コストに実施できるとともに、認識しやすさの観点からの利便性向上にも寄与できる。
【００４４】
したがって、特に、小数Ｎｄを含む数値Ｐとして、仮想通貨に係わる数値Ｐを適用することができる。これにより、特に、用途として利用価値の高い仮想通貨に係わる金額表示が可能になるため、数値Ｐの入力ミスや読取りミスを回避し、通貨取引等で生じる虞れのある重大な損失を防止できるなど、最適な用途として利用できる。
【００４５】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００４６】
例えば、特定記号Ｓｄは、コンマＳｋに対して異ならせることが望ましいが、特定記号ＳｄにコンマＳｋを使用する場合を排除するものではない。また、特定記号Ｓｄは、小数点以下の小数Ｎｄ…に対して３桁単位で仕切って表示することが望ましいが、必要により、２桁単位でもよいし４桁単位以上であってもよい。さらに、特定記号Ｓｄは、配列した数字Ｎと数字Ｎの間であって、数字Ｎの上側の位置Ｈｕ又は下側の位置Ｈｄに表示することが望ましいが、必ずしも、これらの位置に限定するものではない。一方、表示部２は、１５桁を表示する場合を示したが、基本的には、少なくとも１３桁以上の任意の桁数を表示可能に構成することができるとともに、１３桁未満を排除するものではない。他方、小数Ｎｄを含む数字Ｎとして、仮想通貨に係わる数字Ｎを適応することが好適であるが、仮想通貨の金額以外の各種数値の表示に利用することができる。
【産業上の利用可能性】
【００４７】
本発明に係る数値の表示方法（数値表示装置）は、電卓やコンピュータディスプレイ等の各種の表示部に、少なくとも小数点以下の小数を含む数値を表示する際に利用することができる。
【符号の説明】
【００４８】
１：表示装置，２：表示部，３：表示処理部，Ｐ：数値，Ｎ：数字，Ｎｄ：小数，Ｓｐ：ピリオド，Ｓｋ：コンマ，Ｓｄ：特定記号，Ｈｕ：数字の上側の位置，Ｈｄ：数字の下側の位置
【図１】
2019191729.tif 000003
【図２】
2019191729.tif 000004
【図３】
2019191729.tif 000005
【図４】
2019191729.tif 000006
【図５】
2019191729.tif 000007
【図６】
2019191729.tif 000008
【図７】
2019191729.tif 000009
【図８】
2019191729.tif 000010